(57)【要約】 【課題】単純な一つの動作で、折畳んだときテント部折襞部分を整列し美麗に仕上げることができる傘用留め具、これを備えた傘、及びこれによる傘の結束方法を得ること。【解決手段】軟質プラスチック製テープの長手部一方端部の折返片に設けられた一方嵌合部と、前記長手部の他方端部に設けらた他方嵌合部と、前記他方嵌合部の一方側近接位置に前記テープの幅全体に跨がって突設され一方側に傾斜する湾曲面と他方側に略直立状に形成された指当面とを有する硬質プラスチック製の指押圧部と、前記長手部の他方側端末に延長され傘のテント部に固着される固着代とを備え、前記一方嵌合部及び他方嵌合部は相互に嵌脱可能とされ、前記一方嵌合部は自立形状保持可能とされている傘用留め具、これを備えた傘、及びこれによる傘の結束方法。【選択図】            図２
2005323891.tif 000002
【特許請求の範囲】
【請求項１】
軟質プラスチック製テープの長手部一方端部の折返片に設けられた一方嵌合部と、前記長手部の他方端部に設けらた他方嵌合部と、前記他方嵌合部の一方側近接位置に前記テープの幅全体に跨がって突設され一方側に傾斜する湾曲面と他方側に略直立状に形成された指当面とを有する硬質プラスチック製の指押圧部と、前記長手部の他方側端末に延長され傘のテント部に固着される固着代とを備え、前記一方嵌合部及び他方嵌合部は相互に嵌脱可能とされ、前記一方嵌合部は自立形状保持可能とされていることを特徴とする傘用留め具。
【請求項２】
請求項１に記載の傘用留め具において、一方嵌合部及び他方嵌合部を相互に嵌脱可能な押しホック又は面ファスナーとしたことを特徴とする傘用留め具。
【請求項３】
請求項１に記載の傘用留め具において、テープを半硬質又は低弾性硬質プラスチック製とし、一方嵌合部は前記テープの長手部一方端を延長して幅全体に跨がって略円筒状に形成された係合片と該係合片の上部に連設し突出する山形片とを有し、他方嵌合部及び指押圧部は一体の硬質プラスチック製他方嵌合兼指押圧部とし一方側の突起部と他方側下端から伸びるガイド部と該突起部他方側上面より略直立面状に形成された指当面と該指当面及びガイド部との間に断面略円弧状の前記係合片が嵌脱可能な係合孔とを有し、前記長手部の他方側端末の固着代は湾曲部を形成し、前記突起部及びガイド部の底面が前記テープ端末部に固着されることを特徴とする傘用留め具。
【請求項４】
請求項３に記載の傘用留め具において、テープを軟質プラスチック又は布製とし、長手部一方端に湾曲部を形成し、一方嵌合部は半硬質又は低弾性硬質プラスチック製で係合片の下部を他方側に延設した湾曲部を有し該湾曲部を前記長手部湾曲部の表面に重ねて固着し、前記長手部の他方側端末の固着代は平坦にとられていることを特徴とする傘用留め具。
【請求項５】
請求項３又は４に記載の傘用留め具において、半硬質又は低弾性硬質プラスチック製のテープ長手部又は一方嵌合部の湾曲部の片面又は両面の重ならない位置にピッチ１〜２ｍｍの細溝が形成されていることを特徴とする傘用留め具。
【請求項６】
請求項１〜５のいずれかに記載の傘用留め具において、プラスチック製テープの長手部がピッチ１５〜２０ｍｍの波状に形成されていることを特徴とする傘用留め具。
【請求項７】
上端の柄から下端に露出する石突側へ直線状に伸びる心棒の下部寄りに止め具により下端末が連結された複数本の放射状の骨と、前記骨に沿って外側に張設されたテント部を含む傘であって、前記骨外側の前記テント部上に固着代が固着され未結束状態にあっては長手部及び一方嵌合部が折襞を超えて突出状態におかれていることを特徴とする請求項１〜６のいずれかに記載の傘用留め具を備えた傘。
【請求項８】
請求項７に記載の傘を用い、（１）一方の手をフリー状態におき、他方の手で傘の柄を掴み、（２）一方の手の親指の腹部分を指押圧部の指当面に当接し、残余指を伸ばし未整列のテント部上におかれたテープ長手部上面を掴み、（３）次いで、前記柄を心棒回りに回転させつつ、前記親指及び残余指で形成される側面視における弧状面に対し前記指当面を起点として親指で押圧し除々に前記テント部の束をしぼめ、前記折襞表面と前記長手部の下面との摩擦により該折襞は整列されて側面視において小径の略円形状にまとめられ、（４）次いで、前記心棒を更に回転させ前記長手部が整列された前記折襞表面上をスリップして、次の未整列折襞に移動し連続して摩擦及びスリップを繰返し該折襞全部が整列され、自立形状保持可能な一方嵌合部により前記長手部中間部におかれた前記残余指による離隔位置からの操作により、前記一方嵌合部を他方嵌合部近接位置に接近させ、（５）次いで、前記残余指で前記長手部を押さえつつ、前記親指を離して前記一方嵌合部と他方嵌合部とを嵌合せしめることを特徴とする傘用留め具による傘の結束方法。
【発明の詳細な説明】
【技術分野】
【０００１】
本発明は、折り畳んだ傘のテント部分を心棒周囲に巻付けて結束し収納する際の留め具、これを備えた傘、及びこれによる傘の結束方法の改良に関する。
【背景技術】
【０００２】
従来から汎用されている傘用留め具は、傘の隣接する骨の間に張られたテント部で柄の近くに布製又は軟質プラスチック例えば塩化ビニル製のテープを固着し、自由端の先端部に押しホック又は面ファスナー等の嵌合具の一方例えば雌部を取付け、前記テープとテント部との固着位置に近接して嵌合具の他方例えば雄部を取付け、一方の手で傘の柄を握り、他方の手で嵌合具の一方の端部を摘んでテープに張力をかけて傘の回りに巻付け、嵌合具の一方と他方を向合わせて両嵌合具を嵌合している。
【０００３】
これに対し本発明者は、先に布又はプラスチック製テープの長手方向一方先端部表面側に指が挿入可能な指嵌め部を設け、テープの裏面で指嵌め部の一方端側に隣接した位置に嵌合具の一方が取付けられ、テープの他方側先端部表面側に嵌合具の他方が取付けられ、嵌合具の一方及び他方は相互に嵌合可能とされた傘用留め具により、嵌合具の双方を相互に係合させ傘を収納することのできる傘用留め具及びこれを備えた傘を得た。
【特許文献１】登録実用新案第３０８４５７８号公報（［０００６］［０００７］）
【発明の開示】
【発明が解決しようとする課題】
【０００４】
前記従来汎用の傘用留め具は、嵌合具の一方の端部を他方の手の指で摘んでテープを引張り、一方の手で傘の柄を握り回転させるが、腕が邪魔になり回転ができなくなると手を持替えねばならず、更に摘んだ嵌合具の一方を押圧するために持替えねばならず、この持替えの煩わしさや手が濡れてしまう等の課題があった。
これに対し、前記特許文献１に記載の傘用留め具では、第一間段階で一方の手の人差指をテープの自由端側にある指嵌め部に挿入し、第二段階では人差指でテープに張力を掛けながら、他方の手で柄を手前側に約１８０度回転させてテープをテント部表面に巻き付けて半結束の状態とし、更に第三段階で、前記第二段階から更に指嵌め部を介して人指し指のある嵌合具の一方を張力を加えながら回転させ嵌合具の他方と係合可能な対向する位置に達し、両嵌合具を係合して傘の結束収納が完了する。しかし、柄を約１８０度回転させて嵌合具雌部及び雄部を嵌合させる動作は必要であり、雨で濡れているとき、片手に鞄、荷物等を持ったとき等の動作になお煩わしさが残っていた。
そして、折畳んだときテント部表面の折襞は前記汎用及び特許文献１記載の傘用留め具のいずれにおいても整列されておらず、テント部全体はテープに張力をかけて巻付けたくびれ部分を境に上下が水分で膨れ上がった状態のままであり外観が良くなかった。この膨れ上がった状態を修正するためには、傘を一旦半開きに戻して石突側より折襞部分を手の平の中に掴み込んで上方にしごく様にして整列した上で改めて嵌合具雌部及び雄部を係合する必要があった。更に使用して濡れた傘は、広げて乾燥した後再度同様な結束収納作業をしていた。
本発明は、簡易な構造で傘を持替えることなく、単純な一つの動作で、手を全く濡らさず折畳んだときテント部折襞部分を整列し美麗に仕上げることができる傘用留め具、これを備えた傘、及びこれによる傘の結束方法を得ることを目的とする。
【課題を解決するための手段】
【０００５】
この目的を達成するために、請求項１の発明にあっては、軟質プラスチック製テープの長手部一方端部の折返片に設けられた一方嵌合部と、前記長手部の他方端部に設けらた他方嵌合部と、前記他方嵌合部の一方側近接位置に前記テープの幅全体に跨がって突設され一方側に傾斜する湾曲面と他方側に略直立状に形成された指当面とを有する硬質プラスチック製の指押圧部と、前記長手部の他方側端末に延長され傘のテント部に固着される固着代とを備え、前記一方嵌合部及び他方嵌合部は相互に嵌脱可能とされ、前記一方嵌合部は自立形状保持可能とされている傘用留め具により解決した。
請求項２の発明にあっては、請求項１に記載の傘用留め具において、一方嵌合部及び他方嵌合部を相互に嵌脱可能な押しホック又は面ファスナーとした傘用留め具とすることができる。
請求項３の発明にあっては、請求項１に記載の傘用留め具において、テープを半硬質又は低弾性硬質プラスチック製とし、一方嵌合部は前記テープの長手部一方端を延長して幅全体に跨がって略円筒状に形成された係合片と該係合片の上部に連設し突出する山形片とを有し、他方嵌合部及び指押圧部は一体の硬質プラスチック製他方嵌合兼指押圧部とし一方側の突起部と他方側下端から伸びるガイド部と該突起部他方側上面より略直立面状に形成された指当面と該指当面及びガイド部との間に断面略円弧状の前記係合片が嵌脱可能な係合孔とを有し、前記長手部の他方側端末の固着代は湾曲部を形成し、前記突起部及びガイド部の底面が前記テープ端末部に固着される傘用留め具とすることができる。
請求項４の発明にあっては、請求項３に記載の傘用留め具において、テープを軟質プラスチック又は布製とし、長手部一方端に湾曲部を形成し、一方嵌合部は半硬質又は低弾性硬質プラスチック製で係合片の下部を他方側に延設した湾曲部を有し該湾曲部を前記長手部湾曲部の表面に重ねて固着し、前記長手部の他方側端末の固着代は平坦にとられている傘用留め具とすることができる。
請求項５の発明にあっては、請求項３又は４に記載の傘用留め具において、半硬質又は低弾性硬質プラスチック製のテープ長手部又は一方嵌合部の湾曲部の片面又は両面の重ならない位置にピッチ１〜２ｍｍの細溝が形成されている傘用留め具とするのが好ましい。  請求項６の発明にあっては、請求項１〜５のいずれかに記載の傘用留め具において、プラスチック製テープの長手部がピッチ１５〜２０ｍｍの波状に形成されている傘用留め具とするのが好ましい。
【０００６】
請求項７の発明にあっては、上端の柄から下端に露出する石突側へ直線状に伸びる心棒の下部寄りに止め具により下端末が連結された複数本の放射状の骨と、前記骨に沿って外側に張設されたテント部を含む傘であって、前記骨外側の前記テント部上に固着代が固着され未結束状態にあっては長手部及び一方嵌合部が折襞を超えて突出状態におかれている請求項１〜６のいずれかに記載の傘用留め具を備えた傘により解決した。
請求項８の発明にあっては、請求項７に記載の傘を用い、（１）一方の手をフリー状態におき、他方の手で傘の柄を掴み、（２）一方の手の親指の腹部分を指押圧部の指当面に当接し、残余指を伸ばし未整列のテント部上におかれたテープ長手部上面を掴み、（３）次いで、前記柄を心棒回りに回転させつつ、前記親指及び残余指で形成される側面視における弧状面に対し前記指当面を起点として親指で押圧し除々に前記テント部の束をしぼめ、前記折襞表面と前記長手部の下面との摩擦により該折襞は整列されて側面視において小径の略円形状にまとめられ、（４）次いで、前記心棒を更に回転させ前記長手部が整列された前記折襞表面上をスリップして、次の未整列折襞に移動し連続して摩擦及びスリップを繰返し該折襞全部が整列され、自立形状保持可能な一方嵌合部により前記長手部中間部におかれた前記残余指による離隔位置からの操作により、前記一方嵌合部を他方嵌合部近接位置に接近させ、（５）次いで、前記残余指で前記長手部を押さえつつ、前記親指を離して前記一方嵌合部と他方嵌合部とを嵌合せしめる傘用留め具による傘の結束方法により解決した。
【発明の効果】
【０００７】
本発明の傘用留め具、これを備えた傘、及びこれによる傘の結束方法によれば、簡易な構造で傘を持替えることなく、単純な一つの動作で、手を全く濡らさず折畳んだときテント部折襞部分を整列し美麗に仕上げることができる。
【発明を実施するための最良の形態】
【０００８】
本発明の実施の形態を図面に基づき以下詳細に説明する。
図１は、本発明の傘用留め具第一例の側面図、一部拡大図、斜視図である。
図２は、本発明の傘用留め具第二例の側面図、斜視図及び変形例の側面図である。
図３は、本発明の傘用留め具第三例の側面図、斜視図及び変形例の側面図である。
図４及び図５は、本発明の傘用留め具第一例を備えた傘の結束方法の逐次態様を示す概略斜視図である。
図６は、本発明の傘用留め具第一例を備えた傘の結束方法の逐次態様を示す傘の上側より視た概略側面図である。
以下においては、図４、５に示す通り傘５の柄６側を上とし、心棒（図示省略）の先端露出部石突７側を下とし、中心の心棒側でテント部８の雨が当らない方を内側とし雨が当たる方を外側として説明する。又傘５に取付けられる各傘用留め具の自由端側を一方、テント部８に固着される側を他方として説明する。
【０００９】
図１により本発明の第一例の傘用留め具１を説明する。
傘用留め具１は、テープ１１と、一方嵌合部１２と、他方嵌合兼指押圧部１３とからなる。
テープ１１は、半硬質又は低弾性硬質プラスチックの腰のある素材製で、通常幅２０〜３０ｍｍ、厚さ０．８〜１．２ｍｍ、全長１３０〜１５０ｍｍのものが用いられ、略平坦な長手部１１ａと弧状の湾曲部１１ｂとを有し、長手部１１ａは主として張力をかけて傘の回りに巻付ける部分であり、湾曲部１１ｂは傘のテント部との固着代となる部分で断面略円弧状の通常半径２０ｍｍ前後の略四分円弧状にとられている。
一方嵌合部１２は、テープ１１の長手部１１ａ一方端を延長して形成され、テープ１１と同材、同幅で本例では嵌合雄部として作用し、幅全体に跨がって同じ断面の略円筒状に形成された係合片１２ａと、該係合片１２ａの上部に連設して例えば断面略逆Ｖ又はＵ字形に突出する山形片１２ｂとを有し、係合片１２ａが一方側自由端末に山形片１２ｂがやや他方側寄りにおかれている。
他方嵌合兼指押圧部１３は、硬質プラスチック製で、テープ１１の長手部１１ａ他方側端末部に幅全体に跨がって同じ断面に形成され、一方側の突起部１３ａと他方側の下端から伸びるガイド部１３ｂと、突起部２３ａ他方側上面より略直立面状に形成された指当面２３ｄと、指当面２３ｄ下縁とガイド部１３ｂとの間に断面略円弧状の前記係合片１２ａが嵌脱可能な係合孔１３ｃとを有している。突起部１３ａは、一方側からだらかな上がり勾配の湾曲面として形成され、ガイド部１３ｂは係合孔１３ｃ下端から他方側に向けてだらかな下がり傾斜面として形成され、突起部１３ａ及びガイド部１３ｂとの底面は平坦で長手部１１ａ端末部に接着又は溶着等によって固着され、ガイド部１３ｂから他方側に長手部１１ａに連なる湾曲部１１ｂが張出している。
ここで、テープ１１は前記したやや腰のある素材製で、軟質プラスチックに比して傘の回りに巻付けるのにはやや硬さがあり馴染みにくいのと、長手部１１ａの表面が指の加圧により傘に柔軟に巻き付き、係合片１２ａの係合孔１３ｃとの嵌合解除時には素早く元に戻るように、図１（ｂ）に示す、長手部１１ａ及び湾曲部１１ｂの片面又は両面にピッチ１〜２ｍｍの重ならない位置に例えば略逆Ｖ字形又は逆円弧状若しくはそれらの逆の形の細溝１１ｃを形成するのが好ましい。
又長手部１１ａを図１（ａ）（ｃ）に示すように、長手方向にピッチ１５〜２０ｍｍ程度の波状に形成すると、長時間傘の回りに巻付けてあった場合プラスチックの緩和現象により、傘を開いたときテープ１１に癖が付いてしまい丸くなった状態が残って復元するのに時間がかるのを防止するのに有効であり好ましい。これは後述する傘用留め具２、２′及び３′の各プラスチック製テープにおいても同様である。
【００１０】
図２（ａ）（ｂ）により本発明の第二例の傘用留め具２を説明する。
傘用留め具２は、テープ２１と、一方嵌合部２２と、指押圧部２３と、他方嵌合部２４とからなる。第一例の傘用留め具１と同様の構成の詳細説明は省略する。
テープ２１は、テープ１１に比しやや腰の弱い軟質プラスチックの厚さ１ｍｍ前後のものでテープ１１とほぼ同寸のものが用いられ、略平坦な長手部２１ａと弧状の湾曲部２１ｂとを有し、湾曲部２１ｂは固着代として例えば湾曲部１１ｂと同形にとられている。
一方嵌合部２２は、長手部２１ａを一方側に延長して折返した折返片２２ｂと、該折返片２２ｂの下面に固着した押しホック雌部の係合片２２ａとを有している。
指押圧部２３及び他方嵌合部２４は傘用留め具１と異なり、別体に分離されている。指押圧部２３は、硬質プラスチック製で、テープ２１の長手部２１ａ他方側端末部より僅かに一方側寄り幅全体に跨がって同じ断面に形成され、一方側からだらかな上がり勾配の湾曲面に形成された突起部２３ａと他方側下面より略直立弧状に形成された指当面２３ｂとを有し、底面は平坦で長手部２１ａ他方側に接着又は溶着等によって固着され、長手部２１ａ他方側端末に連なって湾曲部２１ｂが張出している。
他方嵌合部２４として、指押圧部２３の僅かに他方寄りの長手部２１ａ他方側端末部に押しホック雄部が固着され、一方嵌合部２２の係合片２２ａの押しホック雌部と嵌脱可能とされている。
ここで、係合片２２ａを押しホック雄部とすると移動中にホックの突起した部分が傘の骨部に引掛かり易いので好ましくない。
【００１１】
図２（ｃ）により本発明の第二例の変形例としての傘用留め具２′を説明する。
傘用留め具２′は、テープ２１と、一方嵌合部２２′と、指押圧部２３と、他方嵌合部２４′とからなる。傘用留め具２と同様の構成は同一符号を用い詳細説明は省略する。
一方嵌合部２２′は係合片２２′ａが面ファスナー雌部である他は一方嵌合部２２と同様の構成であり、他方嵌合部２４′は面ファスナー雄部である他は他方嵌合部２４と同様の構成で他方嵌合部２４と同様の位置に固着され、相互に嵌脱可能とされている。ここで、係合片２２′ａを面ファスナー雄部とし、他方嵌合部２４′を面ファスナー雌部に変えても傘用留め具２のように傘の骨部に引掛かり易いことはないので変更可能である。
【００１２】
図３（ａ）（ｂ）により本発明の第三例の傘用留め具３を説明する。テープ３１と、一方嵌合部３２と、他方嵌合兼指押圧部３３とからなる。第一例の傘用留め具１と同様の構成の詳細説明は省略する。
テープ３１は、腰はあまりないが肌触りの柔らかい布製で、通常テープ１１と幅及び全長はほぼ同寸で厚みは２ｍｍ前後のものが用いられ、略平坦な長手部３１ａと弧状の湾曲部３１ｂとを有するが、湾曲部３１ｂは湾曲部１１ｂと異なり長手部３１ａの一方端部側に連なって設けられ、傘のテント部との固着代となる部分は長手部３１ａが略平坦のまま他方側に延長して当てられる。これは、テープ３１が腰があまりない布製であり、縫合又は接着により傘のテント部の形状に順応して容易に固着可能であるため特に湾曲部を設けなくてもよいからである。湾曲部３１ｂは断面略円弧状で通常半径３５ｍｍ前後の略四分円弧状にとられている。
一方嵌合部３２は、一方嵌合部１２及びテープ１１と同じ素材で厚さ２ｍｍ前後のやや厚手のものを用い、係合片１２ａと同じ係合片３２ａと、山形片１２ｂと同じ山形片３２ｂと、係合片３２ａの下部を他方側に湾曲部３１ｂの表面形状に沿って延設された湾曲部３２Ｃとからなり、湾曲部３２Ｃを３１ｂに重ねて接着等により固着される。湾曲部３２Ｃには前記長手部１１ａの細溝１１ｃと同じ細溝３２ｄを形成するのが好ましい。
他方嵌合兼指押圧部３３は、前記他方嵌合兼指押圧部１３と同じ構成で、突起部３３ａと、指当面３３ｄと、ガイド部３３ｂと、係合片３２ａが嵌脱可能な係合孔３３ｃとを有し、長手部３１ａ他方端末側に傘のテント部との固着代となる平坦部分をあけて接着等によって固着されている。
【００１３】
図３（ｃ）により本発明の第三例の変形例としての傘用留め具３′を説明する。
傘用留め具３′は、テープ３１′と、一方嵌合部３２と、他方嵌合兼指押圧部３３とからなる。傘用留め具３と同様の構成は同一符号を用い詳細説明は省略する。
テープ３１′は腰があまりないが柔らかい軟質プラスチックの厚さ１ｍｍ前後のやや薄手のもので、略平坦な長手部３１′ａと弧状の湾曲部３１′ｂとを有し、材質が異なるのみで大きさ、形状はテープ３１と同様である。
他方嵌合兼指押圧部３３は長手部３１′ａ他方端末側に傘のテント部との固着代となる平坦部分をあけて接着又は溶着等によって固着されている。
【００１４】
図４（ａ）を参照して、傘５への傘用留め具１の取付けについて説明する。
ここで説明する傘５は、通常折畳み傘に対し長傘と呼ばれる公知のものあり、一部構成は図示省略してある。傘５は、手で把持しやすいよう形成された通常湾曲部と直線部よりなる柄６と、柄６下側から下端部が露出する石突７側へ直線状に伸びる通常金属製の心棒と、該心棒の下端部寄りに固着された骨止め具に下端末が連結された複数本の放射状に配設された通常金属線状材の骨９と、骨９に沿って外側に張設された布又はプラスチックシート製のテント部８と、各骨９の内側中間部に下端末が連結され複数本の放射状におかれた通常金属線状材の開閉レバーと、心棒の軸芯に上下摺動自在に嵌着され各開閉レバーの上端末が集められて連結された開閉摘みと、開閉摘みを係止可能とし傘の不使用時に上端部に保持せしめるように心棒上部に突設されたストッパーとを含んでいる。
傘５への傘用留め具１の取付けは、傘５の隣接する骨の間のテント部８略中間で、骨上端より通常１０〜１５ｃｍの位置に固着代部分の湾曲部１１ｂを接着又は溶着等により固着し、湾曲部１１ｂ及び他方嵌合兼指押圧部１３は折襞８ａの内側におかれ、長手部１１ａ及び一方嵌合部１２は折襞８ａを超えて外側に突出状態におかれている。
以下では傘用留め具１を前記長傘についての使用例で説明するが、折畳み傘に対しも同
様に使用可能であり、傘用留め具２、３及びそれらの変形例においても同様である。
【００１５】
図４乃至６を参照して、傘用留め具１による傘を折畳む場合の結束方法について説明する。ここで、図４、５は斜視図、図６は傘の上側方向より視た側面図で示してある。
（１）当初段階：図４（ａ）に示す。
前記詳述した通り、傘５のテント部８へ傘用留め具１を固着して、一方の手Ａをフリー状態におき、他方の手Ｃで傘５の柄６を掴む。
（２）第一中間段階：図４（ｂ）、図６（ａ）に示す。
次いで、一方の手Ａの親指Ｂ１ の腹の部分を他方嵌合兼指押圧部１３の突起部１３ａ他方側の指当面１３ｄに当接し、他の指例えば人差し指Ｂ２ 及び中指Ｂ３ を軽く伸ばし、未整列のテント部８の折襞８ａ上におかれたテープ１１の長手部１１ａ上面を軽く掴むようにしておく。
（３）第二中間段階：図６（ｂ）に示す。
次いで、他方の手Ｃで掴んだ柄６を心棒回りに矢印Ｒ方向に少しずつ回転させつつ、一方の手Ａの親指Ｂ１ と人差し指Ｂ２ 及び中指Ｂ３ で形成される側面視における弧状面に対し、指当面１３ｄに親指Ｂ１ をおいてこれを起点として押圧し除々にテント部８の束をしぼめて行くと、折襞８ａ部分表面と長手部１１ａの下面との摩擦により折襞８ａは整列されて側面視において次第に小径の略円形状にまとまる。
（４）第三中間段階：図５（ｃ）、図６（ｃ）に示す。
更に、心棒を矢印Ｒ方向に回転させると長手部１１ａが整列された折襞８ａ表面上をスリップして、次の未整列の折襞８ａに移動し、同様に連続して摩擦、スリップを繰返し折襞８ａが全部整列される。
テープ１１は、半硬質又は低弾性硬質プラスチックの腰のある素材製であり、一方端部は折曲げられて一方嵌合部１２を形成しているので多少剛性を有しており自立形状保持が可能で、指の長さは全部整列された傘５を掴む程長くはないので一方嵌合部１２に直接人差し指Ｂ２ 及び中指Ｂ３ を当てることはできないが、長手部１１ａの中間部におかれた人差し指Ｂ２ 及び中指Ｂ３ による離隔位置からの操作により、一方嵌合部１２を他方嵌合兼指押圧部１３に近接する位置まで接近させることができる。
（５）最終段階：図５（ｄ）、図６（ｄ）に示す。
次いで、人差し指Ｂ２ 及び中指Ｂ３ により長手部１１ａを押さえたままで、親指Ｂ１ を突起部１３ａから離し、ガイド部１３ｂを経て係合孔１３ｃに対し係合片１２ａを押込み嵌合せしめることにより、傘５のテント部分８を折り畳んでの傘用留め具１による結束が完了する。
以上詳述した通り、傘用留め具１を用いることにより、傘５を持替えることなく、単純な一つの動作で、手を全く濡らさず、折畳んだテント部の折襞部分を美麗に整列して仕上げ結束し収納することができる。
他方、傘用留め具１によるテント部の結束を解除するには、前記図５（ｄ）、図６（ｄ）に示す最終段階状態から突起部１３ａの他方端と山形片１２ｂとの間隙に親指Ｂ１ を挿入して長手方向に引張ることにより容易に外すことができる。
【００１６】
傘用留め具２、２′のテント部への取付け及び結束方法は、傘用留め具１の場合と概ね同様であるが、相違点のみについて説明する。
傘用留め具２、２′の傘５への取付けは、傘用留め具１の場合と同様のテント部８の位置に、固着代部分の湾曲部２１ｂを接着又は溶着等により固着する。
傘用留め具２による結束方法は、指押圧部２３及び他方嵌合部２４が分離されており、親指Ｂ１ の腹の部分を指当面２３ｂにおいてこれを起点として押圧し除々にテント部８の束をしぼめて行く。そして、テープ２１は軟質プラスチック製でテープ１１に比しやや柔軟性を有しているが、一方嵌合部２２が長手部２１ａ端部を二重にし折返片２２ｂとし下面に係合片２２ａが固着されているのでこの部分はやや剛性があるので自立形状保持が可能で、前記一方嵌合部１２と同様に人差し指Ｂ２ 及び中指Ｂ３ による離隔位置からの操作により、押しホック雌部の係合片２２ａを押しホック雄部の他方嵌合部２４に近接する位置まで接近させることができ、次いで係合片２２ａと他方嵌合部２４とを互いに嵌合させる。
傘用留め具２′では、傘用留め具２と同様にして最終段階で面ファスナー雌部である係合片２２′ａを面ファスナー雄部である他方嵌合部２４′に近接する位置まで接近させ互いに嵌合させる。
【００１７】
傘用留め具３、３′のテント部への取付け及び結束方法は、傘用留め具１の場合と概ね同様であるが、相違点のみについて説明する。
傘用留め具３、３′の傘５への取付けは、傘用留め具１の場合と同様のテント部８の位置に、長手部３１ａ又は３１′ａ他方端末側の平坦な固着代部分を接着又は溶着等により固着する。
傘用留め具３による結束方法は、テープ３１は腰はあまりない布製であるが、一方端部にテープ３１よりやや厚手の湾曲部３２Ｃが湾曲部３１ｂに接着により固着されているので自立形状保持が可能で、傘用留め具１と同様に一方嵌合部３２と同様に人差し指Ｂ２ 及び中指Ｂ３ による離隔位置からの操作により、一方嵌合部３２を他方嵌合兼指押圧部３３に近接する位置まで移動させることができ、次いで係合孔３３ｃに対し係合片３２ａを押込み嵌合させる。
傘用留め具３′では、テープ３１′の材質は腰があまりない軟質プラスチック製である点が異なるのみで、その他の結束方法は傘用留め具３による場合と同様である。
【産業上の利用可能性】
【００１８】
本発明の傘用留め具、これを備えた傘、及びこれによる傘の結束方法は、単純な一つの動作で、折畳んだときテント部折襞部分を整列し美麗に仕上げることができ、簡易に各種傘に利用可能である。
【図面の簡単な説明】
【００１９】
【図１】本発明の傘用留め具第一例の，（ａ）側面図、（ｂ）一部拡大図、（ｃ）斜視図である。
【図２】本発明の傘用留め具第二例の、（ａ）側面図、（ｂ）斜視図、（ｃ）変形例側面図である。
【図３】本発明の傘用留め具第三例の、（ａ）側面図、（ｂ）斜視図、（ｃ）変形例側面図である。
【図４】本発明の傘用留め具第一例を備えた傘の結束方法の逐次態様を示す概略斜視図で、（ａ）当初段階、（ｂ）第一中間段階である。
【図５】本発明の傘用留め具第一例を備えた傘の結束方法の逐次態様を示す概略斜視図で、（ｃ）第二中間段階、（ｄ）最終段階である。
【図６】本発明の傘用留め具第一例をを備えた傘の結束方法の逐次態様を示す傘の上側より視た概略側面図で、（ａ）第一中間段階、（ｂ）第二中間段階、（ｃ）第三中間段階、（ｄ）最終段階である。
【符号の説明】
【００２０】
１、２、２′、３、３′  傘用留め具
１１、２１、３１、３１′  テープ
１１ａ、２１ａ、３１ａ、３１′ａ  長手部
１１ｂ、２１ｂ、３１ｂ、３１′ｂ、３２ｃ  湾曲部
１１ｃ、３２ｄ  細溝
１２、２２、２２′、３２  一方嵌合部
１２ａ、２２ａ、２２′ａ、３２ａ  係合片
１２ｂ、３２ｂ  山形片
１３、３３  他方嵌合兼指押圧部
１３ａ、２３ａ、３３ａ  突起部
１３ｂ、３３ｂ  ガイド部
１３ｃ、３３ｃ  係合孔
１３ｄ、２３ｂ、３３ｄ  指当面
２２ｂ  折返片
２３  指押圧部
２４、２４′  他方嵌合部
５  傘
８  テント部
８ａ  折襞
ＡＣ  手
Ｂ１ 〜Ｂ３   指
【図１】
2005323891.tif 000003
【図２】
2005323891.tif 000004
【図３】
2005323891.tif 000005
【図４】
2005323891.tif 000006
【図５】
2005323891.tif 000007
【図６】
2005323891.tif 000008